(57)【特許請求の範囲】
【請求項１】
走査信号線と情報信号線とが互いにマトリクス状に配置された表示パネルと、前記走査信号線及び情報信号線に走査信号及び情報信号をそれぞれ印加する駆動手段とを有し、画像を表示する表示装置において、
前記情報信号線に情報信号を印加するように配置された複数の情報信号線ドライバと、
前記複数の情報信号線ドライバに一走査線駆動期間分の画像データを転送する画像データ転送制御手段と、
前記複数の情報信号線ドライバに共通に接続された転送イネーブル信号線と、
を備え、
前記画像データ転送制御手段は、前記一走査線駆動期間分の画像データを転送する期間中に、前記転送イネーブル信号線に印加される転送イネーブル信号により、該画像データの前記複数の情報信号線ドライバへの転送及び中断を制御することを特徴とする表示装置。
【請求項２】
前記複数の各情報信号線ドライバは、情報信号を転送するためのクロックをカウントするカウンタを備え、前記カウンタのカウント値と該各情報信号線ドライバに個別に設定されたカウンタ値とに基づいて自己認識し、前記画像データのサンプリングタイミングを定めることを特徴とする請求項１記載の表示装置。
【請求項３】
前記複数の各情報信号線ドライバは、前記カウンタ値に基づいて前記画像データのサンプリングを停止することを特徴とする請求項２記載の表示装置。
【請求項４】
前記複数の各情報信号線ドライバは、前記画像データ転送制御手段から一走査線駆動期間毎に入力される信号にて前記カウンタのカウント値をクリアすることを特徴とする請求項２記載の表示装置。
【請求項５】
画像データに対応した信号を出力する複数のドライバと、該複数のドライバに画像データを転送する画像データ転送制御手段と、を有する画像データの転送制御装置において、
前記複数のドライバに共通に接続された転送イネーブル信号線を備え、
全てのドライバ分の画像データを転送する期間中に、前記転送イネーブル信号線に印加される転送イネーブル信号により、該画像データの前記複数のドライバへの転送及び中断を制御することを特徴とする画像データの転送制御装置。
【請求項６】
前記画像データ転送制御手段は、全てのドライバの画像データ格納用レジスタの容量より小さい容量の画像データ格納用レジスタを有することを特徴とする請求項５記載の画像データの転送制御装置。
【請求項７】
前記画像データ転送制御手段は、１つのドライバの画像データ格納用レジスタの容量より小さい容量の画像データ格納用レジスタを有することを特徴とする請求項５記載の画像データの転送制御装置。
【発明の詳細な説明】
【０００１】
【発明の属する技術分野】
本発明は、表示装置に関し、特に情報信号線に情報信号を印加する情報信号線ドライバへの最適な情報信号転送を行う画像データの転送制御装置に関するものである。
【０００２】
【従来の技術】
従来、走査信号線と情報信号線をマトリクス状に配し、走査信号及び情報信号を各々印加して表示パネルを駆動し、画像を表示する表示装置の一例であるフラットパネルディスプレイ（以下、ＦＰＤという）において、駆動回路へのデータ転送は、ＦＰＤの表示が線順次方式や点順次方式で行われることから、１ライン（走査線）分の画像データをまとめて転送する必要があった。すなわち従来型のディスプレイにおいて情報側（セグメント）ドライバでは表示データをフレーム周波数に同期して、全ビット数転送を行うことが要求されていた。
【０００３】
図１５は従来のデータ転送方式を行うためのシステムのブロック図であり、同図において、１は表示パネルである液晶表示パネル、２は情報信号線ドライバである複数のセグメントドライバ、３は走査信号線ドライバである複数のコモンドライバ、４はセグメントバス基板、５はコモンバス基板、６は液晶駆動コントローラ、７は画像データバス、８はクロック信号線、９はラッチ信号線、１０はカスケード入力信号線、１１はセグメント制御線（電源線も含む）、１２はコモン制御線（電源線も含む）である。
【０００４】
また、図１６は、従来のデータ転送方式を行うシステムにおけるセグメントドライバの接続ブロック図である。同図において、各セグメントドライバ２１，２２，２３には、画像データバス７からＩＤ（０：７）からなる画像データが、クロック信号線６からクロック信号が、またラッチ信号線９からはＬＡＴＣＨ信号が入力されるようになっている。
【０００５】
一方、第１のセグメントドライバ２１にはカスケード入力信号線１０がカスケード接続されており、このカスケード入力信号線１０からコントローラ６からのカスケード入力信号ＳＤＩが入力されるようになっている（その他の制御線も入力されるが、ここでは省略している）。そして、この第１のセグメントドライバ２１は、コントローラ６からのカスケード入力信号ＳＤＩが入力された後、所定のタイミングでカスケード出力信号ＳＤＯ１を出力するようになっている。
【０００６】
また、このカスケード出力信号ＳＤＯ１は、第２のセグメントドライバ２２に入力され、第２のセグメントドライバ２２は、この後、所定のタイミングでカスケード出力信号ＳＤＯ２を出力するようになっている。さらに、このカスケード出力信号ＳＤＯ２は、第３のセグメントドライバ２３に入力され、第３のセグメントドライバ２２は、この後所定のタイミングでカスケード出力信号ＳＤＯ３を出力するようにしている。
【０００７】
ところで、セグメントドライバ２ヘの画像データは、図１７に示すタイミングチャートのように８ビット幅（８ビットパラレル）で全ドライバ分がシリアルに転送されており、この画像データの最初のデータｄ０〜ｄ７が送られるのに同期してカスケード入力信号ＳＤＩはクロックの１サイクル期間ハイ（Ｈ）となる。
【０００８】
そして、このカスケード入力信号ＳＤＩのハイ（Ｈ）により、第１のセグメントドライバ２１は画像データをサンプリングすると同時に、図１８の内部制御回路２Ａにてクロック数のカウントを行う。なお、本従来例では各セグメントドライバ２１，２２，２３の出力ピン数を１６０本としているため、画像データ１６０ビット、すなわち８ビット幅の画像データ×２０クロック分のサンプリングを行えば、１つのセグメントドライバ２１，２２，２３の一走査線駆動期間分の画像データのサンプリングが完了する。
【０００９】
よって、クロックを２０カウントした時点で、第１のセグメントドライバ２１はデータのサンプリングを終了すると同時に、カスケード出力信号ＳＤ０１をクロックの１サイクル期間ハイ（Ｈ）とする。そして、このカスケード出力信号ＳＤ０１のハイ（Ｈ）により、第２のセグメントドライバ２２が画像データのサンプリングを行い、この後カスケード出力信号ＳＤ０２のハイ（Ｈ）により、第３のセグメントドライバ２３が画像データのサンプリングを行うようになる。
【００１０】
以上により、ＩＤ０〜ＩＤ１５９が第１のセグメントドライバ２１の画像データ、Ｄ１６０〜ＩＤ３１９が第２のセグメントドライバ２２の画像データ、ＩＤ３２０〜ＩＤ４７９が第３のセグメントドライバ２３の画像データとしてサンプリングされ、一走査線駆動期間分の画像データ転送が完了する。
【００１１】
【発明が解決しようとする課題】
ところで、このような従来のデータ転送方式を採用した表示装置においては、セグメントドライバは、既述したように画像データをフレーム周波数に同期して一走査線分の全ビット数のデータ転送を一括して行うことが要求されている。ここで、このように一走査線分の全ビット数のデータ転送を一括して行うためには、画像データ転送制御手段である液晶駆動コントローラ側には少なくとも一走査線分の全ビット数のレジスタ、例えば図１８の例ではセグメントドライバの数の１６０倍のビット数のレジスタが必要となる。
【００１２】
しかし、表示装置の大画面、高精細、多色化が進むにつれて転送画像データ量が増加するようになると、このように一走査線分の画像データの転送を一括して行う場合の液晶駆動コントローラ側の処理負荷が大きくなることがある。また、コントローラやそれを採用したシステムの要求で画像データの転送を休止したい場合であっても一走査線分の画像データ転送終了まで待たねばならなかった。更に、セグメントドライバ間をカスケード接続する場合、ＳＤＩ信号にノイズが乗ると全てのドライバで誤動作が起きてしまう恐れもあった。
【００１３】
そこで、本発明は、画像データ転送時における画像データ転送制御手段側の処理負荷を軽減することができると共に、ノイズによる誤動作の発生を防ぐことのできる画像データの転送制御装置及び表示装置を提供することを目的とするものである。
【００１４】
【課題を解決するための手段】
本発明は、走査信号線と情報信号線とが互いにマトリクス状に配置された表示パネルと、前記走査信号線及び情報信号線に走査信号及び情報信号をそれぞれ印加する駆動手段とを有し、画像を表示する表示装置において、前記情報信号線に情報信号を印加するように配置された複数の情報信号線ドライバと、前記複数の情報信号線ドライバに一走査線駆動期間分の画像データを転送する画像データ転送制御手段と、前記複数の情報信号線ドライバに共通に接続された転送イネーブル信号線と、を備え、前記画像データ転送制御手段は、前記一走査線駆動期間分の画像データを転送する期間中に、前記転送イネーブル信号線に印加される転送イネーブル信号により、該画像データの前記複数の情報信号線ドライバへの転送及び中断を制御することを特徴とするものである。
【００１５】
また本発明は、前記複数の各情報信号線ドライバは、情報信号を転送するためのクロックをカウントするカウンタを備え、前記カウンタのカウント値と該各情報信号線ドライバに個別に設定されたカウンタ値とに基づいて自己認識し、前記画像データのサンプリングタイミングを定めることを特徴とするものである。
【００１６】
また本発明は、前記複数の各情報信号線ドライバは、前記カウンタ値に基づいて前記画像データのサンプリングを停止することを特徴とするものである。
【００１７】
また本発明は、前記複数の各情報信号線ドライバは、前記画像データ転送制御手段から一走査線駆動期間毎に入力される信号にて前記カウンタのカウント値をクリアすることを特徴とするものである。
【００１８】
また本発明は、画像データに対応した信号を出力する複数のドライバと、該複数のドライバに画像データを転送する画像データ転送制御手段と、を有する画像データの転送制御装置において、前記複数のドライバに共通に接続された転送イネーブル信号線を備え、全てのドライバ分の画像データを転送する期間中に、前記転送イネーブル信号線に印加される転送イネーブル信号により、該画像データの前記複数のドライバへの転送及び中断を制御することを特徴とするものである。
【００１９】
また本発明は、前記画像データ転送制御手段は、全てのドライバの画像データ格納用レジスタの容量より小さい容量の画像データ格納用レジスタを有することを特徴とするものである。
【００２０】
また本発明のように、画像データ転送制御手段にて情報信号線に情報信号を印加するよう配置された複数の情報信号線ドライバに一走査線駆動期間分の画像データを転送する一方、一走査線駆動期間分の画像データを転送する期間を設定すると共に、転送期間中に画像データの転送を休止する期間を設けた転送期間設定信号を入力することにより、転送期間中であっても画像データの転送を休止できるようにして画像データ転送制御手段側の処理負荷を軽減するようにする。また、複数の情報信号線ドライバをカスケード接続することなく接続できるので、ＥＭＩ（電磁干渉）ノイズによる誤動作の発生を防ぐことができる。
【００２１】
【発明の実施の形態】
以下、本発明の実施の形態について図面を用いて説明する。
【００２２】
図１は本発明の実施の形態に係る画像データの転送制御装置の一例を示している。
【００２３】
画像データ転送制御手段としての制御回路ＣＯＮＴは、内部に生成した画像データを格納するレジスタＲＳを有し、クロック信号、転送イネーブル信号ＥＮＡＢＬＥ及び画像データＩＤを発生し、出力する。
【００２４】
画像データＩＤを受信する第１及び第２ドライバ２１，２２は、画像データバス７、クロック信号線８及び転送イネーブル信号線１３を介して、画像データＩＤ、クロック信号及び転送イネーブル信号ＥＮＡＢＬＥを受信し、この後所定の処理例えばシリアル／パラレル変換、信号増幅、信号変換、インピーダンス変換等を行って出力線ｏｕｔより所定の信号を出力する。
【００２５】
なお、この出力線ｏｕｔは、液晶ディスプレイ、プラズマディスプレイ、電子放出素子、光放出素子等の電気光学素子や、インクジェットヘッド、サーマルヘッド等の電気熱変換素子に接続されており、第１及び第２ドライバ２１，２２によってこれらの素子が駆動されて画像の形成が行われる。
【００２６】
図２は図１の画像データの転送制御装置に用いられる各種信号のタイミングチャートの一例を示す。
【００２７】
この例では、第１及び第２ドライバ２１、２２自身が自己を認識するデータを有しており、各ドライバ２１、２２が自分自身に与えられるべき信号を入力する場合、認識信号ＣＩＤ１、ＣＩＤ２をそれぞれハイ（Ｈ）にして画像データＩＤを入力するようになっている。
【００２８】
まず、制御回路ＣＯＮＴは転送イネーブル信号線１３をイネーブル（信号をハイ）にして第１ドライバ２１に与えるべき第１の画像データＶ１  を転送する。この時、第１ドライバ２１は認識信号ＣＩＤ１をハイ（Ｈ）にして第１の画像データＶ１  を取り込む。一方、第２ドライバ２２は認識信号ＣＩＤ２がロー（Ｌ）になっているので第１の画像データＶ１  は取り込まない。
【００２９】
そして、第１の画像データＶ１  の転送中に、システム上の制約等でデータ転送を中断したい場合には、転送イネーブル信号線１３をディスエイブル（信号をロー）にして、第１の画像データＶ１  の転送を中止する。なお、この停止期間ＩＮＴ中のデータバス７上の電気信号Ｉは無効な情報である。
【００３０】
なお、第１ドライバ２１は転送イネーブル信号ＥＮＡＢＬＥのハイからロー（Ｌ）への変化に応答して認識信号ＣＩＤ１をロー（Ｌ）にして無効な情報Ｉの取り込みを防止する。また、データ転送再開時には、制御回路ＣＯＮＴは転送イネーブル信号ＥＮＡＢＬＥをハイ（Ｈ）にして、残りの第１の画像データＶ１  を転送する。
【００３１】
一方、第１ドライバ２１は認識信号ＣＩＤ１を再びハイとして残りの第１の画像データＶ１  を取り込む。そして、この後、認識信号ＣＩＤ１をロー（Ｌ）にして第１の画像データＶ１  の転送が終了する。
【００３２】
次に、制御回路ＣＯＮＴは、第１の画像データＶ１  に続いて第２の画像データＶ２  の転送を開示する。ここで、第２の画像データＶ２  は第２ドライバ２２が取り込むべきデータであるので、第１ドライバ２１は認識信号ＣＩＤ１をロー（Ｌ）にし、第２ドライバ２２は認識信号ＣＩＤ２をハイ（Ｈ）にする。
【００３３】
こうして、第２の画像データの第２ドライバ２２への転送が始まる。そして、第１ドライバ２１への画像データの転送中断と同じようにして第２ドライバ２２の画像データも転送イネーブル信号ＥＮＡＢＬＥのロー（Ｌ）に応じて第２の画像データＶ２  の入力を中断し、そして転送イネーブル信号ＥＮＡＢＬＥのハイ（Ｈ）に応じて第２の画像Ｖ２  の入力を再開する。
【００３４】
このように、転送イネーブル信号ＥＮＡＢＬＥに応じて画像データの転送を中断することにより、システム設計の余裕度を広げることができる。例えば、転送の停止期間ＩＮＴがないとすると、制御回路ＣＯＮＴは第１、第２の画像データＶ１  、Ｖ２  を予め生成し、内部のレジスタＲＳに格納する必要があるから、レジスタＲＳとして第１、第２の画像データＶ１  、Ｖ２  を同時に格納できる大きな容量のレジスタ（メモリ）が必要になる。
【００３５】
これに対して、図２のように構成すれば、各ドライバ１個分の画像データを格納できる小容量のレジスタですむ。つまり、制御回路ＣＯＮＴは第１の画像データＶ１  の先行する４分の３のデータを生成しレジスタＲＳに格納した後、第１ドライバ２１に転送する。次に停止期間ＩＮＴ中に、制御回路ＣＯＮＴは、第１の画像データＶ１  の残り４分の１のデータと第２の画像データＶ２  の先行する４分の３のデータを生成し、空になったレジスタＲＳに格納する。そして、出力された第１の画像データＶ１  と第２の画像データＶ２  は、認識信号ＣＩＤ１，ＣＩＤ２に応じて所定のドライバ２１，２２にそれぞれ入力される。
【００３６】
一方、図３は、図１の画像データの転送制御装置に用いられる各種信号の転送タイミングの別の例である。
【００３７】
この例では、第１の画像データＶ１  の転送期間中には停止期間はなく、第２の画像データＶ２  の転送期間中に転送を中断している。
【００３８】
この場合は、少なくとも第１、第２の画像データＶ１  ，Ｖ２  の８分の７を格納できるレジスタが必要となる。この場合は、レジスタを小規模にする効果よりも、システム設計上別の処理を制御回路ＣＯＮＴが要求される場合に、任意に停止期間ＩＮＴを設定し、その処理を行えるという効果の方が大きい。
【００３９】
なお、各ドライバ２１，２２は必要に応じて半導体集積回路チップにて構成され得る。また、各ドライバ２１，２２への画像データの取り込み、即ち画像データのサンプリングタイミングを定める認識信号ＣＩＤ１，ＣＩＤ２は、クロックをカウントすることによりドライバ自身が自己生成できる。
【００４０】
この為に各ドライバ２１，２２を構成する集積回路内に回路パターンとして自己認識できる情報を付与してもよいが、後述するように、各ドライバ２１，２２が実装される実装基板から当該情報を付与されることが好ましい。
【００４１】
ここで、このような実装基板からの情報付与の手法は、ヨーロッパ特許公開公報ＥＰ０７４０２８５Ａ２に詳しく開示されている。そして、この手法を用いれば、同じ構成の２つのドライバをそれぞれ第１ドライバ２１として用いることもできるし、第２ドライバ２２として用いることもできる。
【００４２】
図４は、本発明の第２の実施の形態に係る表示装置としての液晶装置のシステムブロック図である。同図において、２０は画像情報を記億するＶＲＡＭ２０ａを有するグラフィックコントローラであり、ＶＲＡＭ２０ａの画像情報（データ）はグラフィックコントローラ２０から転送クロックに従って液晶駆動コントローラ６に転送されるようになっている。
【００４３】
そして、このデータは画像データ転送制御手段である液晶駆動コントローラ６の走査信号制御回路６１と情報信号制御回路６２に入力され、それぞれ走査信号線用のアドレスデータと情報信号線用の画像データ（画像情報）に変換される。この後、これらのデータに従って走査信号線駆動手段７１と情報信号線駆動手段７２が走査信号波形及び情報信号波形を液晶パネル１の走査信号線１ａ及び情報信号線１ｂに出力するようになっている。
【００４４】
なお、この液晶パネル１の走査信号線１ａと情報信号線１ｂとは互いにマトリクス状に配置されており、さらにその間にはツイストネマチック液晶やカイラルネマチック液晶や強誘電性液晶や反強誘電性液晶等の電気光学物質が挟持されている。また、６３は、これら走査信号線駆動手段７１及び情報信号線駆動手段７２に駆動電圧を供給する液晶駆動電圧生成回路である。
【００４５】
一方、図５は、液晶駆動コントローラ６と液晶表示パネル１との間のデータ転送方式を示すシステムブロック図である。同図において、１３は画像データ転送イネーブル信号線である。この画像データ転送イネーブル信号線１３により、図６に示すように、並列に配列された全く同じ構成のＬＳＩからなる各セグメント第１ドライバ２１，２２，２３には転送期間設定信号である画像データの転送イネーブル信号（以下ＥＮＡＢＬＥ信号という）が並列的に入力されている。
【００４６】
また、各セグメント第１ドライバ２１，２２，２３は、図６に示すようにＣＩＤ０〜４端子をセグメントバス基板４に設けられたハードパターンによって、ロジック電源電位ＶＣＣにプルアップ、接地電位にプルダウンすることで、各々にチップ識別番号が設定されている。
【００４７】
ところで、各セグメント第１ドライバ２１，２２，２３ヘ転送される画像データ（ＩＤ０〜ＩＤ７）は、図７に示すように、８ビット幅で全ドライバ分がシリアルに転送されており、ＥＮＡＢＬＥ信号がハイ（Ｈ）の状態で、画像データの転送が開始されるようになっている。なお、このハイ（Ｈ）の期間中、各セグメント第１ドライバ２１，２２，２３は、図８に示すデータサンプリングカウンタ２Ｂによって、クロックのカウントを行っている。
【００４８】
また、各セグメント第１ドライバ２１，２２，２３には、それぞれに設定されたチップ識別番号をクロックカウント数にデコードするためのデコーダ２Ｃを備えている。なお、図９はＣＩＤ０〜４端子とクロックカウント数の関係の一例を示す図表であり、このように５端子あれば３２個のドライバを識別できる。ここで、同図において、０はプルダウン、１はプルアップを示している。例えば、端子ＣＩＤ０〜ＣＩＤ４が全てプルダウンとされたドライバは、クロックを１から２０までカウントするようにデコーダ２Ｃからカウンタ２Ｂに命令が出され、カウント中、図７に示すＣＩＤ−ＥＮ１信号をハイ（Ｈ）とする。
【００４９】
一方、図８において、２Ｄは、８ビット幅の画像データ×２０、即ち１６０ビットの画像データを格納するためのデータ・レジスタ、２Ｅはデータ・レジスタ２Ｄに格納された１６０ビットの画像データを、一走査線駆動期間毎に入力されるＬＡＴＣＨ信号によってラッチさせるデータ・ラッチである。また、２Ｆは、データ・ラッチ２Ｅにラッチされたデータをパネル駆動のための電圧にレベルシフトするレベルシフタである。
【００５０】
そして、各セグメント第１ドライバ２１，２２，２３は、カウント数が所定の値となった時点で、画像データＩＤ（０：７）のサンプリングのタイミング信号であるＣＩＤ‐ＥＮｎを自己生成しハイ（Ｈ）とする。なお、図７において、ＣＩＤ‐ＥＮ１は１クロック目で自己生成される第１のセグメント第１ドライバ２１の自己生成信号、ＣＩＤ‐ＥＮ２は２１クロック目で自己生成される第２のセグメント第２ドライバ２２の自己生成信号、ＣＩＤ‐ＥＮ３は４１クロック目で自己生成される第３のセグメントドライバ２３の自己生成信号を表している。
【００５１】
これにより、第１のセグメント第１ドライバ２１は１回目のクロックと同期して送られてくる画像データからサンプリングを開始し、第２のセグメント第２ドライバ２２は２１回目のクロックと同期して送られてくる画像データからサンプリングを開始し、第３のセグメントドライバ２３は４１回目のクロックと同期して送られてくる画像データからサンプリングを開始するようになっている。
【００５２】
ところで、本実施の形態において、各セグメント第１ドライバ２１，２２，２３は、図８に示すように出力ピン数を例えば１６０本とした時、画像データ１６０ビット、すなわち８ビット幅の画像データ×２０クロック分のサンプリングを行えば、一走査線駆動期間分の画像データのうち、１つのセグメントドライバ分のデータのサンプリングが完了する。
【００５３】
よって、データサンプリングカウンタ２Ｂは、ＣＩＤ‐ＥＮｎをハイ（Ｈ）としてから、２０クロックカウントした時点でその動作を停止し、ＣＩＤ‐ＥＮｎをロー（Ｌ）とし、そのセグメントドライバは画像データのサンプリングを完了する。
【００５４】
なお、サンプリングされた画像データは、図８に示すようにセグメントドライバ内のデータ・レジスタに格納され、一走査線駆動期間毎に入力されるＬＡＴＣＨ信号により、セグメントドライバ内のデータ・ラッチにラッチされる。この後、データ・ラッチにラッチされたデータに従って、セグメントドライバ内のレベルシフトによりパネル駆動のための電圧にレベルシフトされ、液晶表示パネル１の選択された走査線上の画素アレイに駆動信号を同時に、又は順次供給する。
【００５５】
また、本実施の形態においては、このＬＡＴＣＨ信号をクリア信号としており、このＬＡＴＣＨ信号によってデータサンプリングカウンタのカウント数をクリアするように構成しており、これにより次に駆動を行う走査線の画像データを正しくサンプリングすることが可能となる。
【００５６】
なお、図１９は図８のデータサンプリングカウンタの構成を示すブロック図であり、同図において、４１は１０ｂｉｔカウンタである。１６０本の情報電極に出力する為の画像データを８ｂｉｔ幅のバスから取り込むためには２０カウントを行う必要がある。そして、３２個のドライバーのチップアドレスを識別するためには２０×３２＝６４０カウント可能でならなければならず、そのためにカウンタ４１は１０ｂｉｔカウンタとなっている。
【００５７】
１０ｂｉｔカウンタ４１の出力は、コンパレーター４２によって、デコーダ２Ｃの出力と比較される。画像データのうち１〜２０クロックの画像データを取り込むべきドライバーの場合には、デコーダ２Ｃの出力、つまりドライバーに個別に設定されたカウンタ値と比較され、１クロックのカウント開始からコンパレータ４２より、フリップフロップからなるラッチ４３のＪ端子にハイレベルの信号が入力される。これにより、ラッチ４３のＱ端子から画像データをサンプリングするためのハイレベルのチップイネーブル信号ＣＩＤ−ＥＮｎが出力される。
【００５８】
４４は、画像データのサンプリングを停止するための回路であり、ＡＮＤゲート４５、５ｂｉｔカウンタ４６、コンパレータ４７を含む。
【００５９】
ＡＮＤゲート４５からの出力を５ｂｉｔカウンタ４６が受けると５ｂｉｔカウンタ４６はカウントを行い、結果をコンパレータ４７に出力する。コンパレータ４７の他方の入力端子には、ＲＯＭ等から２０カウントに担当するデータ（１，０，１，０，０）が入力されているため、コンパレータ４７はカウント値が２０に達すると、その結果をラッチ４３のＫ端子に入力するので、Ｑ端子からの出力はローレベルになる。
【００６０】
そして、ラッチ信号端子（ＬＡＴＣＨ）より一走査ライン分の画像データが転送される毎にローレベルの信号が入力され、カウンタ４１，４６のカウント値がクリアされ、上述した動作を繰り返し行う。
【００６１】
ところで、本実施の形態においては、画像データの転送時における液晶駆動コントローラ６側の処理負荷を軽減することができるよう一走査線駆動期間分のデータ転送において、休止期間を設けられるように構成されている。
【００６２】
図１０、図１１は、このような休止期間を設けた場合のタイミングチャートであり、図１１において、ｍはパネルの走査線のｍ本目のラインを示している。ここで、図１１に示すように、例えばｍ、ｍ＋１、ｍ＋３本目の走査線へは画像データが各々一走査線駆動期間分が連続して転送されているが、ｍ＋２本目の走査線への画像データの転送には休止期間ＩＮＴが設けられ、この休止期間ＩＮＴの間は転送が停止されるようになっている。
【００６３】
なお、この休止期間ＩＮＴは、液晶駆動コントローラ６により、図１０に示すようにＥＮＡＢＬＥ信号の本来ならばハイ（Ｈ）であるべき期間にロー（Ｌ）を設けることにより形成されている。
【００６４】
ここで、このように休止期間ＩＮＴが設けられている画像データのサンプリング方法は、前述の基本動作と同様である。即ち、各セグメント第１ドライバ２１，２２，２３のデータサンプリングカウンタ２Ｂは、前述の通り、設定されたチップ識別番号に従い、ＥＮＡＢＬＥ信号がハイ（Ｈ）の時のクロック数をカウントするように構成する。
【００６５】
しかし、画像データ転送の休止期間ＩＮＴには液晶駆動コントローラ６は、図７に示すようにＥＮＡＢＬＥ信号を「Ｌ」とし、これによりセグメント第１ドライバ２１，２２，２３のデータサンプリングカウンタ２Ｂが入力されたクロックのカウントを行わないようにしている。また、データサンプリングカウンタ２ＢはＥＮＡＢＬＥ信号がロー（Ｌ）の期間、ＣＩＤ‐ＥＮをロー（Ｌ）とするようにしており、これにより、この休止期間には画像データのサンプリングは行われないようになっている。
【００６６】
ここで、この動作を時系列的に簡単に説明すると、時刻ｔ１でＥＮＡＢＬＥ信号がハイ（Ｈ）となってｍ本目の走査線上の画素に与えられるべき画像データがドライバアレイのうち最先頭のドライバに取り込まれ、データレジスタ２Ｄ（図８参照）への格納が開始される。
【００６７】
この時データラッチ２Ｅ（図８参照）は、その前に選択されたｍ−１本目の走査線上の画素に与えられるべきデータを出力しており、液晶表示パネルのｍ−１本目の走査電極上の画素の表示状態を定めている（ｍ−１ライン駆動）。なお、時刻ｔ２でＥＮＡＢＬＥ信号がロー「Ｌ」になると、最後尾のドライバへの画像の転送が終了する。
【００６８】
また、時刻ｔ２からｔ３までの期間は、コントローラ６内で画像データの生成、コントローラ内レジスタへの格納等の処理が高速で行われており、データのドライバへの転送は有効になっている。但し、ドライバ内ではデータレジスタ２Ｄへの格納や、データラッチ２Ｅ、ライン駆動時等は継続して行われている。この時ラッチ信号がロー「Ｌ」になることで、データラッチ２Ｅ及びライン駆動の対象がｍ本目のラインの画像データに切換わっている。時刻ｔ３からｔ４は、こうした動作の繰り返しである。
【００６９】
一方、コントローラ６側が画像データの転送と別の処理を行う為に、転送を中断する時には、時刻ｔ５でＥＮＡＢＬＥ信号をロー「Ｌ」とする。この時、データバス上にある信号は無効であるから、図１０に示すように信号ＣＩＤ−ＥＮｎ＋１  がロー「Ｌ」となり、ＣＩＤ−ＥＮｎ＋１  を生成するドライバはデータバス上のデータのサンプリングは行わない。但し、この時ドライバ内部では、図１１に示すように、ｍ＋１ラインの画像データのラッチや液晶パネルへの供給（ライン駆動）は行われている。
【００７０】
そして、時刻ｔ６で休止期間が終了すると、コントローラ６は有効なｍ＋２ライン用の画像データの転送を再開する。この時ＥＮＡＢＬＥ信号がハイ（Ｈ）になるので、信号ＣＩＤ−ＥＮｎ＋１  を生成できるドライバは、該信号ＣＩＤ−ＥＮｎ＋１  をハイ（Ｈ）とし、画像データのサンプリングを再開する。この時、１ラインの駆動期間は１ライン分の画像データのサンプリング期間より長く余裕をもって設定されているので、休止期間が介在しても１ライン駆動期間が特異的に長くならないように設計されている。なお、この後、時刻ｔ７でＥＮＡＢＬＥ信号をロー「Ｌ」としてｍ＋２ラインの画像データ転送を終了する。
【００７１】
以上述べたように、一走査線駆動期間データ転送期間に休止期間ＩＮＴを設け、この休止期間ＩＮＴには画像データのサンプリングを行わないようにすることにより、液晶駆動コントローラ６の処理負荷を軽減することができる。また、セグメントドライバ間のカスケード接続も不要となるため、ノイズによる誤動作の懸念も解消される。
【００７２】
次に、本発明の第３の実施の形態について説明する。
【００７３】
図１２は本実施の形態に係る液晶装置のセグメントドライバの構成を示すブロック図である。なお、同図において、図８と同一符号は、同一又は相当部分を示している。
【００７４】
同図において、２Ｇは、データサンプリングカウンタ２Ｂの前段に設けられ、ＥＮＡＢＬＥ信号とクロックとのＡＮＤをとるＡＮＤゲートである。そして、このようなＡＮＤゲート２Ｇを設けることにより、ＥＮＡＢＬＥ信号「Ｌ」の期間、すなわち画像データ転送の休止期間には、データサンプリングカウンタ２Ｂにはクロックが入力されなくなり、クロックのカウントは行われない。これにより、データサンプリングカウンタ２Ｂに、ＥＮＡＢＬＥ信号「Ｌ」時に、クロックのカウントを行わない回路を付加する必要がなくなる。
【００７５】
そして、このようにＥＮＡＢＬＥ信号「Ｌ」時に、クロックのカウント値は増減しないので、一走査線駆動期間データ転送期間に休止期間を介在させることが可能となる。また、本実施の形態によればセグメントドライバ間のカスケード接続も不要となるため、ノイズによる誤動作の懸念も解消される。
【００７６】
次に、本発明の第４の実施の形態について説明する。
【００７７】
本実施の形態は、図１２に示したＡＮＤゲート２Ｇを各セグメントドライバに設けず、代わりに図５で示したものと同じ液晶駆動コントローラ６に設けるようにしたものである。このように構成することにより、図１３に示すとおり、ＥＮＡＢＬＥ信号「Ｌ」の期間、すなわち本発明による画像データ休止期間ＩＮＴであるｍ＋２ライン目の画像データ転送の休止期間には、セグメントドライバにクロックが入力されないため、クロックのカウントは行われない。これにより、データサンプリングカウンタに、ＥＮＡＢＬＥ信号「Ｌ」時にクロックのカウントを行わない回路を付加する必要がなくなる。
【００７８】
そして、このようにＥＮＡＢＬＥ信号「Ｌ」時に、クロックのカウントが行われないので、一走査線駆動期間データ転送期間中に休止期間を設けることが可能となる。また、セグメントドライバ間のカスケード接続も不要となるため、ノイズによる誤動作の懸念も解消される。
【００７９】
以上述べたように各実施の形態によれば、一走査線駆動期間分の画像データを転送する期間中に画像データの転送を休止する期間を設けることにより、画像データ転送制御手段側の処理負荷を軽減することができる。また、カスケード接続を用いずにすむためＥＭＩによる誤動作の発生確率を低減することができる。
【００８０】
次に、本発明の第５の実施の形態について説明する。
【００８１】
本実施の形態では、液晶駆動コントローラ６に４０ビットのレジスタを採用している。そして、図１４に示すような画像データの転送タイミングで制御される。本実施の形態によれば、画像データ転送制御手段である液晶駆動コントローラ側に一走査線分の全ビット数のレジスタを設ける必要がなくなる。
【００８２】
つまり、同図に示すＥＮＡＢＬＥ信号のロー「Ｌ」の期間、つまり本発明における画像データの転送の休止期間を液晶駆動コントローラ６における画像データ転送の準備期間として、次に転送する画像データをＶＲＡＭ２０ａ（図４参照）から受け取り、レジスタへセットする期間とする。
【００８３】
なお、同図において、Ｖは有効データを、Ｉは無効データを、Ｔは画像データの転送期間を、Ｐは画像データの準備期間を示している。また、同図においては、１セグメントドライバへの画像転送期間を４つの期間に分割している為、１つのセグメントドライバの出力ピン数を１６０本とすると、その１／４の４０ビットのレジスタを液晶駆動コントローラ側に設けるだけで良い。つまり、液晶駆動コントローラ側の回路規模を低減することが可能となる。
【００８４】
画像データ準備期間ではレジスタへの新しいデータの書き換がなされる。
【００８５】
ここで、同図においては、１セグメントドライバへの画像転送期間を４つの期間に分割しているが、その期間を２分割、８分割、１６分割等、任意の分割数とすることが可能である。
【００８６】
尚、本実施の形態における転送タイミングは前述の実施例のいずれにも適用できることは言うまでもない。
【００８７】
【発明の効果】
以上述べたように本発明によれば、一走査線駆動期間分の画像データを転送する期間中に画像データの転送を休止する期間を設けることにより、画像データ転送制御手段側の処理負荷を低減することができる。また、カスケード接続を用いないで済ますことができ、ノイズによる誤動作の発生を防ぐことができる。
【図面の簡単な説明】
【図１】本発明による画像データの転送制御装置の一例を示す図。
【図２】図１に用いられる信号のタイミングチャート。
【図３】図１に用いられる信号の他のタイミングチャート。
【図４】本発明の第２の実施の形態に係る液晶装置のシステムブロック図。
【図５】上記液晶装置の液晶駆動コントローラと液晶表示パネルとの間のデータ転送方式を示すシステムブロック図。
【図６】上記液晶装置のセグメントドライバの接続ブロック図。
【図７】上記液晶装置のデータ転送方式におけるタイミングチャート。
【図８】上記セグメントドライバの構成を示すブロック図。
【図９】ＣＩＤ端子とクロックカウント数の関係の一例を示す図表。
【図１０】上記液晶装置のデータ転送期間において休止期間を設ける場合のタイミングチャート。
【図１１】上記液晶装置のデータ転送期間において休止期間を設ける場合の他のタイミングチャート。
【図１２】本発明の第２の実施の形態に係る液晶装置のセグメントドライバの構成を示すブロック図。
【図１３】上記液晶装置のデータ転送期間において休止期間を設ける場合のタイミングチャート。
【図１４】本発明の別の実施の形態によるデータ転送のタイミングチャート。
【図１５】従来の液晶装置におけるデータ転送方式を行うシステムブロック図。
【図１６】上記従来の液晶装置のセグメントドライバの接続ブロック図。
【図１７】上記従来の液晶装置のデータ転送におけるタイミングチャート。
【図１８】従来のデータ転送方式でのセグメントドライバの構成を示すブロック図。
【図１９】本発明に用いられるデータサンプリングカウンタのブロック図。
【符号の説明】
１        液晶表示パネル
１ａ      走査信号線
１ｂ      情報信号線
２        セグメントドライバ
２Ｂ      データサンプリングカウンタ
３        コモンドライバ
６        液晶駆動コントローラ
７        画像データバス
８        クロック信号線
９        ラッチ信号線
１０      シリアルデータ入力信号線
１３      画像データ転送イネーブル信号
２１，２２，２３      セグメントドライバ
ＣＯＮＴ  制御回路
【図１】
0003548405.tif 000002
【図２】
0003548405.tif 000003
【図３】
0003548405.tif 000004
【図４】
0003548405.tif 000005
【図５】
0003548405.tif 000006
【図６】
0003548405.tif 000007
【図７】
0003548405.tif 000008
【図８】
0003548405.tif 000009
【図９】
0003548405.tif 000010
【図１０】
0003548405.tif 000011
【図１１】
0003548405.tif 000012
【図１２】
0003548405.tif 000013
【図１３】
0003548405.tif 000014
【図１４】
0003548405.tif 000015
【図１５】
0003548405.tif 000016
【図１６】
0003548405.tif 000017
【図１７】
0003548405.tif 000018
【図１８】
0003548405.tif 000019
【図１９】
0003548405.tif 000020